(57)【要約】【課題】調理空間から上方に立ち昇った蒸気や油煙などを円滑かつ確実に壁側に配設されたファンの方向へ誘導して排気することができるレンジフードを提供すること。【解決手段】加熱調理機の上方の壁Ｗ側に配設されるレンジフード１であって、前記調理空間Ｓ１側に向かって斜め下方向に開口する開口部２１を有するフード本体２と、前記フード本体２の内部の壁Ｗ側付近で支持され、かつ、前記フード本体２の前記開口部２１の内側付近に収納されたファン３と、前記フード本体２の前記開口部２１に着脱自在に配設された油捕集部材４と、を有し、前記フード本体２の調理空間Ｓ１側の表面には、前記開口部２１の周囲から前記開口部２１に向かって湾曲して窪む湾曲球面Ｒが形成されているレンジフード１とする。【選択図】図１
2015215124.tif 000002
【特許請求の範囲】
【請求項１】
加熱調理機の上方の壁側に配設されるレンジフードであって、
前記調理空間側に向かって斜め下方向に開口する開口部を有するフード本体と、
前記フード本体の内部の壁側付近で支持され、かつ、前記フード本体の前記開口部の内側付近に収納されたファンと、
前記フード本体の前記開口部に着脱自在に配設された油捕集部材と、
を有し、
前記フード本体の調理空間側の表面には、前記開口部の周囲から前記開口部に向かって湾曲して窪む湾曲球面が形成されていることを特徴とするレンジフード。
【請求項２】
前記フード本体の調理空間側の表面には、壁側の下端部付近から前記開口部の下側付近へ向かって斜め上方向に延びる延出面が形成されており、この延出面は凸曲面部を有することを特徴とする請求項１に記載のレンジフード。
【請求項３】
前記ファンは、斜め下方向に傾斜する支軸を中心に回転するものであることを特徴とする請求項１または２に記載のレンジフード。
【発明の詳細な説明】
【技術分野】
【０００１】
本発明は、レンジフードに関する。
【背景技術】
【０００２】
特許文献１には、壁側に配設されたファン（排気手段）とフード本体とを備えた、加熱調理器の上方の壁側に配設されるレンジフードが記載されている。また、特許文献１のレンジフードのフード本体には、左右の側面部と、左右の側面部の間に設けられた案内部とによって下方が開口した開放空間が形成されていることが記載されている。さらに、特許文献１のレンジフードにおける案内部は、前方に向かって下側に湾曲した内側面を有する前部案内板、および、この内側面に向かって後方下部から斜めに立ち上がった内側面を有する後部案内板を備えていることが記載されている。そして、特許文献１のレンジフードでは、この連続した内側面（前部案内板、後部案内板）が、蒸気や油煙などを含む空気の案内面となることが記載されている。
【先行技術文献】
【特許文献】
【０００３】
【特許文献１】特開2013-104564号公報
【発明の概要】
【発明が解決しようとする課題】
【０００４】
加熱調理器の上方の壁側に配設されるタイプのレンジフードの場合、調理空間から立ち昇った蒸気や油煙などを壁側に配設されたファンの方向に誘導することが望まれる。しかしながら、特許文献１のレンジフードに設けられている案内部の場合、後部案内板が斜めに立ち上がっているため、その周囲の蒸気や油煙などがファンの方向へ導かれ難く、ファンの下方の開放空間に蒸気や油煙などが滞留してしまうという問題がある。
【０００５】
本発明は、以上のとおりの事情に鑑みてなされたものであり、調理空間から上方に立ち昇った蒸気や油煙などを円滑かつ確実に壁側に配設されたファンの方向へ誘導して排気することができるレンジフードを提供することを課題としている。
【課題を解決するための手段】
【０００６】
上記の課題を解決するために、本発明のレンジフードは、加熱調理機の上方の壁側に配設されるレンジフードであって、前記調理空間側に向かって斜め下方向に開口する開口部を有するフード本体と、前記フード本体の内部の壁側付近で支持され、かつ、前記フード本体の前記開口部の内側付近に収納されたファンと、前記フード本体の前記開口部に着脱自在に配設された油捕集部材と、を有し、前記フード本体の調理空間側の表面には、前記開口部の周囲から前記開口部に向かって湾曲して窪む湾曲球面が形成されていることを特徴としている。
【発明の効果】
【０００７】
本発明のレンジフードによれば、調理空間から上方に立ち昇った蒸気や油煙などを円滑かつ確実に壁側に配設されたファンの方向へ誘導して排気することができる。
【図面の簡単な説明】
【０００８】
【図１】本発明のレンジフードの一実施形態を例示した断面概要図である。
【図２】本発明のレンジフードの一実施形態において、フード本体を斜め下側から視た斜視図である。
【図３】図１に例示したレンジフードにおいて、ファンのメンテナンスをする状態を例示した断面概要図である。
【発明を実施するための形態】
【０００９】
図１は、本発明のレンジフードの一実施形態を例示した断面概要図である。図２は、本発明のレンジフードの一実施形態において、フード本体を斜め下側から視た斜視図である。
【００１０】
レンジフード１は、加熱調理機（図示していない）の上方の壁Ｗ側に配設されるものであり、加熱調理機（図示していない）の上方の調理空間Ｓ１からの蒸気、油煙、臭気などを吸引して排気ダクトＤへと送る。
【００１１】
レンジフード１は、フード本体２、ファン３および油捕集部材４を有している。
【００１２】
フード本体２の内部には排気空間Ｓ２が形成されており、この排気空間Ｓ２は調理空間Ｓ１側に向かって斜め下方向に開口する開口部２１と連通している。開口部２１の形状、大きさ、配設位置、開口角度などは、ファン３の形態などに応じて適宜設計することができる。また、フード本体２の上方には排気ダクトＤが配設されており、内部の排気空間Ｓ２と連通している。
【００１３】
ファン３は、開口部２１の内側付近の排気空間Ｓ２に収納されている。また、ファン３は、斜め下方向に傾斜する支軸３aを中心に回転するため、壁Ｗ側に配設されていても、調理空間Ｓ１から上方に昇った蒸気や油煙などを吸引して排気しやすい。
【００１４】
ファン３は、前方が開口した収納ケース３１の内側に収納されており、この収納ケース３１が、断面略Ｌ字型の架台７の上に設置されている。収納ケース３１は架台７の載置部７１に載置されており、収納ケース３１の後方は架台７の背面部７２に固定されている。
【００１５】
フード本体２の内部には、排気ダクトＤと隣接する上面部から下方に垂下する係止片Ｆが配設されている。この係止片Ｆの下端には固定つまみ６が配設されている。また、架台７の背面部７２の上端付近には挿入口７３が形成されている。架台７は、挿入口７３に固定つまみ６が挿入された状態で係止片Ｆに固定されている。
【００１６】
さらに、ファン３が設置された架台７は、伸縮支持部材５によって支持されている。伸縮支持部材５は、一端５１がフード本体２の背面側（壁Ｗ側）に固定されており、他端５２がファン３が設置された架台７の背面部７２に固定されており、折り畳み状態となっている。伸縮支持部材５は、前後方向に伸縮自在な構造を有している。
【００１７】
フード本体２の上端からは、調理空間Ｓ１側に突出する前方ガイド部２２が設けられている。
【００１８】
フード本体２の開口部２１には、油捕集部材４が着脱自在に配設されている。具体的には、フード本体２の開口部２１の周囲には、嵌合溝部２４が設けられており、この嵌合溝部２４に油捕集部材４の端部を嵌め込むことで油捕集部材４が配設される。
【００１９】
油捕集部材４は、本体４１とカバー４２とを備えている。本体４１は、外周縁部４１aと円形凸部４１bを有しており、円形凸部４１bには、表裏面を貫通する吸気孔Ｍが複数形成されている。また、円形凸部４１bの中央には固定具Ｅを挿通する第１挿通孔Ｌ１が形成されている。カバー４２は、本体４１の円形凸部４１bの形状と対応しており、表面部の中央には、ねじなどの固定具Ｅを挿通する第２挿通孔Ｌ２が形成されている。そして、カバー４２の裏面側を本体４１の円形凸部４１bの表面側を重ねて、第１挿通孔Ｌ１と第２挿通孔Ｌ２の位置が一致させた状態で、ねじなどの固定具Ｅを第１挿通孔Ｌ１および第２挿通孔Ｌ２に挿入する。これによって、本体４１とカバー４２とが接合して油捕集部材４が組み立てられる。そして、油捕集部材４の本体４１の外周縁部４１aをフード本体２の開口部２１の周囲の嵌合溝部２４に嵌め込むことでフード本体２の開口部２１に油捕集部材４が配設されている。
【００２０】
フード本体２の調理空間Ｓ１側の表面には、開口部２１の周囲から開口部２１に向かって湾曲して窪む湾曲球面Ｒが形成されている。具体的には、前方ガイド部２２の下面は上側に湾曲しており、湾曲球面Ｒの一部を構成している。また、開口部２１の左右側および下側も外側から開口部２１に向かって湾曲して窪んでおり、湾曲球面Ｒの一部を構成している。湾曲球面Ｒは、略円形状の外縁部から開口部２１へ向かって球面状に窪んでおり、開口部２１の下側に比べて、前方ガイド部２２側に広く形成されている。
【００２１】
フード本体２には湾曲球面Ｒが形成されているため、調理空間Ｓ１から上方に昇った蒸気や油煙などは、壁Ｗ側に配設されたファン３（開口部２１）の方向に向かって湾曲球面Ｒに沿って円滑かつ確実に誘導されて排気される。
【００２２】
さらに、フード本体２の調理空間Ｓ１側の表面は、壁Ｗ側の下端部付近から開口部２１の下側付近へ向かって斜め上方向に延びる延出面２３が形成されており、この延出面２３は凸曲面部２３aを有している。具体的には、延出面２３は、壁Ｗ側の下端部付近から開口部２１の下側付近へ向かって、凹曲面部２３bと凸曲面部２３aが連続して形成されている。凹曲面部２３bは、フード本体２の壁Ｗ側の下端部付近から前方斜め上方向に延びており、フード本体２の内側に向かってやや窪んでいる。凸曲面部２３aは、凹曲面部２３bの前方側からさらに上方向に延びており、フード本体２の外側に向かって膨らんでいる。凸曲面部２３aの上側から開口部２１の下側付近には、湾曲球面Ｒが形成されており、フード本体２の内側に向かって窪んでいる。
【００２３】
したがって、調理空間Ｓ１の壁Ｗ側付近に昇った蒸気や油煙などは、壁Ｗ側に配設されたファン３（開口部２１）の方向に向かって延出面２３に沿って円滑かつ確実に誘導されて排気される。具体的には、調理空間Ｓ１の壁Ｗ側付近に昇った蒸気や油煙などは、延出面２３の凹曲面部２３bに沿って斜め上方向に誘導され、続いて凸曲面部２３aに沿ってやや上方向に向きを変えてファン３（開口部２１）の方向に向かって確実に誘導される。このため、調理空間Ｓ１の壁Ｗ側付近に昇った蒸気や油煙なども確実にファン３によって吸引され、排気することができる。
【００２４】
なお、この実施形態のレンジフード１では、ファン３のメンテナンスをする場合、図３に例示したように、フード本体２から油捕集部材４が取り外され、フード本体２の開口部２１が開放される。そして、固定つまみ６による固定を開放して架台７を係止片Ｆから離脱させる。続いて、折り畳み状態の伸縮支持部材５を前方へ伸長させて、架台７に載置された収納ケース３１に収納されたファン３を移動させる。これによって、ファン３が開口部２１を通じて調理空間Ｓ１側に移動して露出するため、ファン３の清掃や取り換えなどのメンテナンスを容易に行うことができる。また、ファン３のメンテナンスの終了後は、メンテナンス時とは逆の手順でファン３をフード本体２内の排気空間Ｓ２に戻して固定することで収納される。
【００２５】
このように、レンジフード１は、加熱調理機の上方の壁Ｗ側に配設されるレンジフードであって、以下の構成を有している。
【００２６】
調理空間Ｓ１側に向かって斜め下方向に開口する開口部２１を有するフード本体２。
【００２７】
フード本体２内部の壁Ｗ側付近で支持され、かつ、フード本体２の開口部２１の内側付近に収納されたファン３。
【００２８】
フード本体２の開口部２１に着脱自在に配設された油捕集部材４。
【００２９】
そして、レンジフード１は、フード本体２の調理空間Ｓ１側の表面には、開口部２１の周囲から開口部２１に向かって湾曲して窪む湾曲球面Ｒが形成されている。
【００３０】
このため、調理空間Ｓ１から上方に立ち昇った蒸気や油煙などを円滑かつ確実に壁Ｗ側に配設されたファン３の方向へ誘導して排気することができる。
【００３１】
本発明のレンジフードは、以上の形態に限定されることはない。例えば、フード本体の調理空間側の表面に形成される湾曲球面は、外縁部の形状が楕円形であってもよい。また、湾曲球面の大きさや曲率などは、ファンの配設位置や機能などを考慮して適宜設計することができる。
【符号の説明】
【００３２】
１      レンジフード
２      フード本体
２１    開口部
２３    延出面
２３a  凸曲面部
３      ファン
３a    支軸
４      油捕集部材
Ｓ１    調理空間
Ｒ      湾曲球面
Ｗ      壁
【図１】
2015215124.tif 000003
【図２】
2015215124.tif 000004
【図３】
2015215124.tif 000005